(57)【要約】      （修正有）【課題】実際のピラミットに似ている任意の大きさのピラミット体を作るに便利な継手を提供する。【解決手段】一体的の頂点から下方に向かって角度β／２で垂下して配置され互いに直交して配置される４本の挿入足部を形成してなる継手１に、棒体８を挿入することにより棒体８がピラミットの稜線と一致するものとなり、４本の棒体８により所望の大きさのピラミット体を形成する。【選択図】図５
0003154253.tif 000002
【実用新案登録請求の範囲】
【請求項１】
一体的の頂点から下方に向かって角度θ／２で垂下して配置され互いに直交して配置される４本の挿入足部を形成してなる継手であって、前記挿入足部にはピラミットの稜線に相当する棒体が挿入される挿入部が形成されることを特徴とするピラミット体形成用継手。
【請求項２】
前記挿入部には前記棒体の外径が挿入される穴部が形成されるものからなることを特徴とする請求項１に記載のピラミット体形成用継手。
【請求項３】
前記挿入部にはパイプ状の前記棒体の内孔が挿入される挿入部が形成されることを特徴とする請求項１に記載のピラミット体形成用継手。
【請求項４】
前記継手の頂部の部位には貫通孔が形成されることを特徴とする請求項１乃至３のいずれかに記載のピラミット体形成用継手。
【考案の詳細な説明】
【技術分野】
【０００１】
本考案は、ピラミットの稜線に相当する４本の棒体により任意の大きさのピラミット体を形成するための継手に係り、該継手に前記棒体の頂部を挿入することにより４本の棒体によってピラミット体を容易に形成するピラミット体形成用継手に関する。
【背景技術】
【０００２】
ピラミットは重要な世界遺産の１つであり、その神秘性から尊重されている。ピラミットそのものはエジプト等に行かなければ実物を見ることができないが、これに類似するピラミット体は作ることが可能である。このピラミット体としても各種のものがあるが、ピラミットに類似するピラミット体としてはピラミットを形成する稜線が正しい角度で展開されることが最も必要である。そのためにはこの角度を確認するための継手等が必要になる。なお、継手に関する公知技術で本考案に類似する公知技術として例えば「特許文献１」が挙げられる。また、本考案の継手の使用目的としてのピラミット体に関する公知技術として例えば「特許文献２」が挙げられる。
【先行技術文献】
【特許文献】
【０００３】
【特許文献１】特開２００８−１９７０１（図１）
【特許文献２】特開平９−７８８８９号（図４）
【考案の概要】
【考案が解決しようとする課題】
【０００４】
「特許文献１」の「特開２００８−１９７０１号」の「継手及び継手を用いた構築体」は多数本の筒状体をある角度で集合させてなる継手を開示するものであり本考案に類似する形状のものとも言えるが、使用目的や角度に関する内容において相違するものであり、本考案の継手とは非類似のものと考えられる。
一方、「特許文献２」の「特開平９−７８８８９号」の「座禅室セット」は、ピラミット体を形成する支柱を結合してなるテントであり、このテントの中で座禅をして心の安らぎを得るためのもので使用目的において本考案と似ている点もあるが、本考案は継手に関するものであり、その使用目的においてやや類似する技術を公開するものとしての特許文献に相当するものであり、本考案とは非類似のものと考えられる。
【０００５】
前記のように、ピラミットの神秘性からピラミットに類似するピラミット体を任意の場所で容易に形成し、かつ任意の大きさのピラミット体を作ることが出来れば極めて望ましい。ピラミット体としてはその構成上重要の部位はピラミットを形成する稜線を正しい角度で展開することが必要であり、その稜線間は必ずしも閉止されることは必要でない。そこで、稜線に相当する４本の棒体が一体的に、かつ正しい角度で展開することが必要となり、そのための継手が要望される。
【０００６】
本考案は、以上の要請に基づき考案されたものであり、４本の挿入足部を一体的に形成し、この挿入足部の下方に向かっての傾斜角度がピラミットの稜線の角度に相当する角度で垂下されるピラミット体形成用継手を提供することを目的とする。
【課題を解決するための手段】
【０００７】
本考案は、以上の目的を達成するために、請求項１の考案は、一体的の頂点から下方に向かって角度β／２で垂下して配置され互いに直交して配置される４本の挿入足部を形成してなる継手であって、前記挿入足部にはピラミットの稜線に相当する棒体が挿入される挿入部が形成されることを特徴とする。
【０００８】
また、請求項２の考案は、前記挿入部には前記棒体の外径が挿入される穴部が形成されるものからなることを特徴とする。
【０００９】
また、請求項３の考案は、前記挿入部にはパイプ状の前記棒体の内孔が挿入される挿入部が形成されることを特徴とする。
【００１０】
また、請求項４の考案は、前記継手の頂部の部位には貫通孔が形成されることを特徴とする。
【考案の効果】
【００１１】
本考案の請求項１のピラミット体形成用継手によれば、４本の挿入足部を所定の角度θ／２で一体的に形成する継手により、この継手に挿入された棒体をピラミットの稜線と同一の角度で展開することができ、かつこの棒体の長さを任意に選定することにより任意の所望の大きさのピラミット体を作ることができる。なお、継手はコンパクトのものであり、取扱性もよい、また、棒体は簡単に入手することができ、ピラミット体を容易に、かつ任意の場所に作ることができる。
【００１２】
また、本考案の請求項２のピラミット体形成用継手によれば、棒体がパイプ状のものでない場合に対応するためこの継手には穴部が形成され棒体はこの穴部に挿入されることにより所定の角度位置に配設される。
【００１３】
また、本考案の請求項３のピラミット体形成用継手によれば、棒体がパイプ状のものに対して継手はこのパイプの内径が挿入されるものからなり、棒体は所定の角度で安定支持される。
【００１４】
また、本考案の請求項４のピラミット体形成用継手によれば、継手の頂部に貫通孔が形成されているためこの貫通孔を利用して継手を任意の場所に固定することができる。これによりピラミット体のふらつきを防止することができる。
【図面の簡単な説明】
【００１５】
【図１】棒体の挿入保持される穴部を形成する継手の上面図。
【図２】図１のＡ−Ａ断面図。
【図３】パイプ状の棒体の挿入される挿入部を形成する継手の上面図。
【図４】図３のＢ−Ｂ線断面図。
【図５】本考案の継手を用いたピラミット体の表示とその使用方法の１つを説明するための模式的正面図。
【図６】図５の上面図。
【図７】本考案の別の継手を用いたピラミット体を示す模式的正面図。
【図８】本考案の継手を用いたピラミット体の模式的斜視図。
【考案を実施するための形態】
【００１６】
以下、本考案のピラミット体形成用継手の実施の形態を図面を参照して詳述する。
【実施例１】
【００１７】
図１及び図２はパイプ状でない棒体の場合に使用される継手の上面図及び断面図である。
図１及び図２に示すように、継手１は互いに直交して配設される４本の挿入足部２，２，２，２からなり、これ等の挿入足部２，２，２，２はその頂部３において合体し一体的の構造のものからなる。また、夫々の挿入足部２，２，２，２は図２に示すように角度θ／２で下方に向かって傾斜する形状のものからなる。なお、この挿入足部２，２，２，２の夫々の延長線がピラミットの稜線に相当するものからなる。また、この継手１の夫々の挿入足部２，２，２，２には挿入部に相当する穴部４，４，４，４が形成される。なお、この穴部４，４，４，４の上部には縮寸部５，５，５，５が形成されるため穴部４，４，４，４は止り穴となる。また、頂部３には貫通孔６が形成される。
以上の構造の継手１はピラミット体を形成する場合の頂部に配置される部材となり、後に説明するが夫々の挿入足部４，４，４，４に棒体８（図５等に示す）が挿入され、この棒体８がピラミット体の稜線となる。即ち、角度θがピラミット体の頂部の角度に相当するものである。
【実施例２】
【００１８】
図３及び図４は別の形態の継手１Ａを示す。この継手１Ａは前記の実施例１における継手１と基本的構造において同一のものであるが挿入足部２Ａ，２Ａ，２Ａ，２Ａの形状が挿入足部２，２，２，２と相違する。即ち、この挿入足部２Ａ，２Ａ，２Ａ，２Ａは前記穴部４，４，４，４のない棒状体の挿入部４Ａ，４Ａ，４Ａ，４Ａからなる。この挿入部４Ａ，４Ａ，４Ａ，４Ａの外径がパイプ状の棒体８Ａ（図７に示す）の内径に相当する。なお、この継手１Ａには棒体８Ａの上部が当接する段部７が突出形成される。
以上の構造の継手１Ａに棒体８Ａを挿入することによりピラミット体が形成される。
【実施例３】
【００１９】
図５及び図６は前記の継手１を用いて形成されるピラミット体１００を示す。なお、ピラミット体１００の継手１，１Ａの貫通孔６は後に説明する部材９を定位置（ｈ／３）に吊下げ保持させるためのものである。継手１の挿入足部２，２，２，２に棒体８を挿入することによりピラミット体１００が形成される。なお、棒体８の長さを適宜選択することによりピラミット体１００の高さｈを任意の値に変えることができる。
【実施例４】
【００２０】
図７は継手１Ａを用いて作られたピラミット体１００Ａを示す。このピラミット体１００Ａは前記のように挿入部４Ａ，４Ａ，４Ａ，４Ａにパイプ状の棒体８Ａを挿入することにより形成される。
【００２１】
図８は以上の継手１及び継手１Ａを用いたピラミット体１００，１００Ａの模式的斜視図を示すものであり、この外観形状が本物のピラミットに近似するものであることがわかる。
【００２２】
ピラミットは昔からその高さｈの下から三分の一の１／３ｈの部分からピラミットパワーが発散されていると言われている。この理屈については不明であるが、仮りにピラミットパワーが発散されているとすれば本実施例によるピラミット体１００，１００Ａの内部のｈ／３の位置に何等かの部材９を置くことによりこの部材にピラミットパワーが作用することになり、遊び心でこのピラミット体１００，１００Ａを使用することにより楽しみを味わうことができる。
【００２３】
本考案は、以上の内容のものからなるが、本考案は以上の内容に限定するものでなく、同一技術的範疇のものが適用されることは勿論である。
【産業上の利用可能性】
【００２４】
本考案は、簡便なピラミット体を任意の場所で作り上げるために必要な継手に関するものであり、継手の大きさや材質等は目的に対応して任意のものが選択される。また、角度θについても変化させることが可能であり色々の形態のピラミット体に適用可能であり、その利用範囲は極めて広い。
【符号の説明】
【００２５】
１        継手
１Ａ      継手
２        挿入足部
２Ａ      挿入足部
３        頂部
４        穴部
４Ａ      挿入部
５        縮寸部
６        貫通孔
７        段部
８        棒体
８Ａ      棒体
９        部材
１００    ピラミット体
１００Ａ  ピラミット体
【図１】
0003154253.tif 000003
【図２】
0003154253.tif 000004
【図３】
0003154253.tif 000005
【図４】
0003154253.tif 000006
【図５】
0003154253.tif 000007
【図６】
0003154253.tif 000008
【図７】
0003154253.tif 000009
【図８】
0003154253.tif 000010